【手続補正書】
【提出日】平成20年2月8日(2008.2.8)
【手続補正１】
【補正対象書類名】明細書
【補正対象項目名】特許請求の範囲
【補正方法】変更
【補正の内容】
【特許請求の範囲】
【請求項１】  車両への侵入をロックする第１のセキュリティ手段と、車両の走行系をロックする第２のセキュリティ手段とを備える車両用盗難防止装置において、
前記第１のセキュリティ手段のロック解除と、前記第２のセキュリティ手段のロック解除とを、独立に行わせることができるロック解除手段を設けたことを特徴とする車両用盗難防止装置。
【請求項２】  前記第１のセキュリティ手段と前記第２のセキュリティ手段とは、運転者が車両を降りる前に或る特定の前提条件を前記ロック解除手段に入力し、運転者が車外から車両のドアをロックした時にロックを行うようにしたことを特徴とする請求項１に記載の車両用盗難防止装置。
【請求項３】  前記ロック解除手段は、前記或る特定の前提条件の入力により、前記第１のセキュリティ手段のロック解除と前記第２のセキュリティ手段のロック解除とを独立に行うことができるように構成したことを特徴とする請求項２に記載の車両用盗難防止装置。
【請求項４】  前記ロック解除手段が第１のロック解除手段と第２のロック解除手段とから構成されており、
前記第１のロック解除手段が前記第１のセキュリティ手段のロック解除を行い、前記第２のロック解除手段が前記第２のセキュリティ手段のロック解除を行うことを特徴とする請求項１から３の何れか１項に記載の車両用盗難防止装置。
【請求項５】  前記第２のロック解除手段は、前記第１のロック解除手段がロック解除を行った後に動作可能となるように構成されていることを特徴とする請求項４に記載の車両用盗難防止装置。
【請求項６】  前記第１のロック解除手段によるロック解除後の所定時間内に、前記第２のロック解除手段によるロック解除が行われない時には、前記第１のセキュリティ手段が再度ロックを行うように構成したことを特徴とする請求項５に記載の車両用盗難防止装置。
【請求項７】  前記第１のセキュリティ手段のロック動作と、前記第１のロック解除手段のロック解除動作の前記前提条件の設定を、車両のドアのロック信号とロック解除信号とを送信することができるリモートコントローラにより行うようにしたことを特徴とする請求項２から６の何れか１項に記載の車両用盗難防止装置。
【請求項８】  前記リモートコントローラによる、前記第１のセキュリティ手段のロック動作と前記第１のロック解除手段のロック解除動作の設定を、前記リモートコントローラの各ボタンの押し回数の組み合わせで行うようにしたことを特徴とする請求項７に記載の車両用盗難防止装置。
【請求項９】  前記第２のセキュリティ手段のロック動作と、前記第２のロック解除手段のロック解除動作の設定を、車両の運転席の周囲に設置された車内装備品のボタンを利用して行うようにしたことを特徴とする請求項８に記載の車両用盗難防止装置。
【請求項１０】  前記車内装備品のボタンによる、前記第２のセキュリティ手段のロック動作と前記第２のロック解除手段のロック解除動作の設定を、前記車内装備品の複数のボタンの押し回数又は押し位置の組み合わせで行うようにしたことを特徴とする請求項９に記載の車両用盗難防止装置。
【請求項１１】  前記車内装備品のボタンによる、前記第２のセキュリティ手段のロック動作と前記第２のロック解除手段のロック解除動作の設定の終了時に、設定終了を前記車内装備品とは別の車内装備品により運転者に通知するようにしたことを特徴とする請求項１０に記載の車両用盗難防止装置。
【請求項１２】  前記車内装備品の複数のボタンの押し回数の組み合わせによる前記第２のセキュリティ手段のロック動作の設定を、複数の段階に分けて行った場合には、前記車内装備品のボタンによる前記第２のロック解除手段のロック解除は、ロック設定時と同様に段階的に複数回に分けて設定するように設定したことを特徴とする請求項９から１１の何れか１項に記載の車両用盗難防止装置。
【請求項１３】  前記車内装備品の複数のボタンの押し回数又は押し位置の組み合わせにより、前記第２のロック解除手段のロック解除動作と前記第１のロック解除手段のロック解除動作とを同時に行わせることができるようにしたことを特徴とする請求項９に記載の車両用盗難防止装置。
【請求項１４】  前記車内装備品のボタンによる、前記第２のロック解除手段のロック解除動作の設定を、前記第１のロック解除手段のロック解除動作と同時とした時と、独立に別々とした時では、別の車内装備品による設定の確認動作に差を持たせたことを特徴とする請求項９又は１０に記載の車両用盗難防止装置。
【請求項１５】  前記車内装備品による設定の確認動作の差を、車内のルームランプの点滅回数の差としたことを特徴とする請求項１４に記載の車両用盗難防止装置。
【請求項１６】  運転者が車両を降りた後に、キー操作によるドアロック、或いは車両のドアのロック信号とロック解除信号とを送信することができるリモートコントローラによるドアロックのみを実行して、前記第１のセキュリティ手段と前記第２のセキュリティ手段のロック動作を行った場合には、キー操作、或いは前記リモートコントローラによるドアロック解除により、前記第１のセキュリティ手段と前記第２のセキュリティ手段は同時にロック解除されるようにしたことを特徴とする請求項１に記載の車両用盗難防止装置。
【請求項１７】  車両への侵入をロックする第１のセキュリティ手段と、車両の走行系をロックする第２のセキュリティ手段とを備える車両用盗難防止装置において、
前記第１のセキュリティ手段のロック解除に解除条件が必要なモードと必要でないモードを設定する第１の設定手段と、
前記第２のセキュリティ手段のロック解除に解除条件が必要なモードと必要でないモードを設定する第２の設定手段と、
前記第１の設定手段で設定されたモードに従い、前記第１のセキュリティ手段のロック解除を行う第１のロック解除手段と、
前記第２の設定手段で設定されたモードに従い、前記第２のセキュリティ手段のロック解除を行う第２のロック解除手段と、を設けたことを特徴とする車両用盗難防止装置。
【請求項１８】  車両への侵入をロックする第１のセキュリティ手段と、車両の走行系をロックする第２のセキュリティ手段とを備える車両用盗難防止装置において、
前記第１のセキュリティ手段のロック解除を行った場合に、前記第２セキュリティ手段のロック解除も行う第１の手段と、
前記第１のセキュリティ手段のロック解除を行った後、入力される解除条件が前提条件と一致したとき、前記第２セキュリティ手段のロック解除を行う第２の手段と、
前記第１の手段および第２の手段の一方を前記第１のセキュリティ手段および前記第２のセキュリティ手段のロック解除手段として選択する手段を設けたことを特徴とする車両用盗難防止装置。
【手続補正２】
【補正対象書類名】明細書
【補正対象項目名】０００５
【補正方法】変更
【補正の内容】
【０００５】
ところが、このようなキーレスエントリー装置を備えた車両においてさえ、キーが盗難にあった場合、キーの識別コードが解読装置によって解読されて複製が作られたような場合や、ドアが無理やりこじ開けられたような場合には、車両の盗難を免れることができないという問題点があった。
【手続補正３】
【補正対象書類名】明細書
【補正対象項目名】０００９
【補正方法】変更
【補正の内容】
【０００９】
【課題を解決するための手段】
前記目的を達成する本発明の第１の形態の車両用盗難防止装置は、車両への侵入をロックする第１のセキュリティ手段と、車両の走行系をロックする第２のセキュリティ手段とを備える車両用盗難防止装置において、第１のセキュリティ手段のロック解除と、第２のセキュリティ手段のロック解除とを、独立に行わせることができるロック解除手段を設けたことを特徴とする車両用盗難防止装置である。
【手続補正４】
【補正対象書類名】明細書
【補正対象項目名】００１０
【補正方法】変更
【補正の内容】
【００１０】
前記目的を達成する本発明の第２の形態の車両用盗難防止装置は、車両への侵入をロックする第１のセキュリティ手段と、車両の走行系をロックする第２のセキュリティ手段とを備える車両用盗難防止装置において、第１のセキュリティ手段のロック解除に解除条件が必要なモードと必要でないモードを設定する第１の設定手段と、第２のセキュリティ手段のロック解除に解除条件が必要なモードと必要でないモードを設定する第２の設定手段と、第１の設定手段で設定されたモードに従い、第１のセキュリティ手段のロック解除を行う第１のロック解除手段と、第２の設定手段で設定されたモードに従い、第２のセキュリティ手段のロック解除を行う第２のロック解除手段とを設けたことを特徴とする車両用盗難防止装置である。
【手続補正５】
【補正対象書類名】明細書
【補正対象項目名】００１１
【補正方法】変更
【補正の内容】
【００１１】
前記目的を達成する本発明の第３の形態の車両用盗難防止装置は、車両への侵入をロックする第１のセキュリティ手段と、車両の走行系をロックする第２のセキュリティ手段とを備える車両用盗難防止装置において、第１のセキュリティ手段のロック解除を行った場合に、第２セキュリティ手段のロック解除も行う第１の手段と、第１のセキュリティ手段のロック解除を行った後、入力される解除条件が前提条件と一致したとき、第２セキュリティ手段のロック解除を行う第２の手段と、第１の手段および第２の手段の一方を第１のセキュリティ手段および第２のセキュリティ手段のロック解除手段として選択する手段を設けたことを特徴とする車両用盗難防止装置である。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】図３
【補正方法】変更
【補正の内容】
【図３】
(a) は本発明の車両用盗難防止装置において、ロック解除の暗証コードを入力した際のアンサバックに使用する室内灯の配置を示す部分斜視図、(b) は本発明の車両用盗難防止装置において、ロック解除の暗証コードを入力した際のアンサバックに使用するコンビネーションメータのパネルを示す正面図である。